(57)【特許請求の範囲】
【請求項１】
感光体ドラム内に嵌挿されて、前記感光体ドラム内周面に当接するサイレンサーであって、
断面略Ｏ字状をなす一端部側から他端部側へ向かって多数の当接片が延設されると共に、前記多数の当接片が一端部側から他端部側へ向かってテーパー状となるように拡開しており、
さらに断面略Ｏ字状をなす一端部側に前記一端部側から他端部側へと突出する挿入用棒体を設けたことを特徴とするサイレンサー。
【発明の詳細な説明】
【０００１】
【発明の属する技術分野】
本発明は、例えば複写機、ファクシミリ装置、レーザープリンタやＬＥＤなどの電子写真プリンタ、ワードプロセッサなどの感光体ドラムに発生する振動を減衰させるサイレンサーに関する。詳細には感光体ドラム内に嵌挿したときに、感光体ドラムが変形し難く、一旦嵌挿した後は容易に感光体ドラムから抜け落ちることはなく、しかも十分な制振効果、防音効果を発揮することができるサイレンサーに関する。
【０００２】
【従来の技術】
電子写真画像形成方式を用いた複写機や電子写真プリンタなどにおいては、印刷媒体として感光体ドラムが使用されている。この感光体ドラムは、導体で形成された円筒状のドラム外周面に光導電体を塗布したものであり、前記光導電体は光書込系から送られた画像情報を含む光によって物性変化を起こし、感光体ドラム表面に制電潜像を形成する。この感光体ドラム表面に形成された制電潜像は、トナーにより顕像化されて記録紙などの記録媒体に転写して画像を形成する。
【０００３】
このような構造を持つ画像形成装置にあっては、使用される感光体ドラムが、この感光体ドラムを回転駆動させるモータやギヤからの振動を受けて共振していた。また感光体ドラムには、クリーニングブレードとの接触時の摩擦によっても振動が発生していた。
【０００４】
感光体ドラムの振動は、そのドラムの回転速度にも変動を引き起こし、この結果、レーザービームによる書き込みが乱れ、画質が低下するという不具合を招いていた。また感光体ドラムの振動は、ドラムだけに留まらず、その周囲の部材やケーシングにも伝播し、耳障りな高周波の異常騒音が発生していた。
【０００５】
このような感光体ドラムの振動に起因する欠点の克服を目的として、従来、感光体ドラム内に嵌挿することで、当該感光体ドラムに発生する振動を減衰させるサイレンサーが適用されていた。
【０００６】
図４に示すように、サイレンサー１は断面略Ｃ字状の筒状体であり、このサイレンサー１が感光体ドラム２内に嵌挿されて、前記感光体ドラム２内周面に当接し、当該感光体ドラム２の振動を減衰除去し、さらに同感光体ドラム２に接触した周囲の部品への共振を防ぐようになっている。
【０００７】
【発明が解決しようとする課題】
ところが、従来のサイレンサーにあっては反発力がきわめて強いので、このサイレンサーを感光体ドラム内に嵌挿したときに、当該感光体ドラムがその反発力で変形してしまい、この結果、画像が歪んだりかすれたりするなど、画質の低下を招いていた。
【０００８】
そこで、このような画質の低下を防止するため、サイレンサーの湾曲率を小さくして反発力を弱くする試みもなされてはいたが、この場合、一旦嵌挿したサイレンサーが感光体ドラムから抜け落ちたり、感光体ドラム内周面への当接力が小さくなりすぎて、十分な制振効果、防音効果を得ることができなくなったりしていた。
【０００９】
本発明は、このような事情に鑑みなされたものであり、感光体ドラム内に嵌挿したときに、感光体ドラムが変形し難く、一旦嵌挿した後は容易に感光体ドラムから抜け落ちることはなく、しかも十分な制振効果、防音効果を発揮することができるサイレンサーを提供することを目的とするものである。
【００１０】
【課題を解決するための手段】
上記目的を達成するため、請求項１記載の発明は、感光体ドラム内に嵌挿されて、前記感光体ドラム内周面に当接するサイレンサーであって、
断面略Ｏ字状をなす一端部側から他端部側へ向かって多数の当接片が延設されると共に、前記多数の当接片が一端部側から他端部側へ向かってテーパー状となるように拡開しており、
さらに断面略Ｏ字状をなす一端部側に前記一端部側から他端部側へと突出する挿入用棒体を設けたことを特徴とするサイレンサーをその要旨とした。
【００１１】
（削除）
【００１２】
（削除）
【００１３】
（削除）
【００１４】
（削除）
【００１５】
（削除）
【００１６】
（削除）
【００１７】
【発明の実施の形態】
本発明のサイレンサーは、例えば複写機、ファクシミリ装置、レーザープリンタやＬＥＤなどの電子写真プリンタ、ワードプロセッサなどの画像形成装置に適用される。図１に示すように、画像形成装置１１には、印刷媒体として感光体ドラム１２が使用されている。この感光体ドラム１２は、導体で形成された円筒状のドラム１３外周面に光導電体１４を塗布したものであり、前記光導電体１４は光書込系から送られた画像情報を含む光によって物性変化を起こし、感光体ドラム１２表面に制電潜像を形成するようになっている。感光体ドラム１２表面に形成された制電潜像は、トナーにより顕像化され、紙搬送ユニット１５から搬送された記録紙（記録媒体）に転写して画像を形成する。画像が転写された後、感光体ドラム１２表面に残ったトナーは、クリーニング装置のクリーニングブレード１６によって掻き落とされて除去されるようになっている。尚、図１中の１７は、現像ユニット、１８は帯電ユニット、１９は転写ユニット、２０は剥離ユニットである。このように構成された画像形成装置１１における感光体ドラム１２の内周面にサイレンサー２１が適用されるのである。
【００１８】
本発明のサイレンサーを構成する成形材料、成形方法などは、まったく任意であり、画像形成装置の種類、サイレンサーに要求される性能などを考慮して適宜決定すればよい。図２及び図３に示す形態では、以下に示すベースポリマーに無機充填材を配合した制振材料を成形材料として用いた。
【００１９】
ベースポリマー：ポリアミド、ポリ塩化ビニル、ポリエチレン、塩素化ポリエチレン、ポリプロピレン、エチレン−酢ビ共重合体、ポリメタクリル酸メチル、ポリフッ化ビニリデン、ポリイソプレン、ポリスチレン、スチレン−ブタジエン−アクリロニトリル共重合体（ＡＢＳ樹脂）、スチレン−アクリロニトリル共重合体（ＡＳ樹脂）、ポリカーボネート、アクリロニトリル−ブタジエンゴム（ＮＢＲ）、スチレン−ブタジエンゴム（ＳＢＲ）、ブタジエンゴム（ＢＲ）、天然ゴム（ＮＲ）、イソプレンゴム（ＩＲ）の中から選ばれた１種若しくはそれらの混合物。
【００２０】
中でもスチレン−アクリロニトリル共重合体（ＡＳ樹脂）、スチレン−ブタジエン−アクリロニトリル共重合体（ＡＢＳ樹脂）、ポリスチレン、ポリカーボネートなど、ガラス転移点が４０℃以上のベースポリマーは、耐熱性や強度を要求されるサイレンサーの素材として特に好ましい。
【００２１】
尚、ベースポリマーの選択に際しては、前記サイレンサーの種類や使用形態、大きさや形状の他に、取り扱い性、成形成、入手容易性、温度性能（耐熱性や耐寒性）、耐候性、価格なども考慮するのが望ましい。
【００２２】
無機充填材：マイカ鱗片、ガラス片、グラスファイバー、カーボンファイバー、炭酸カルシウム、バライト、沈降硫酸バリウムなど。無機充填材は、制振性能をさらに向上させる目的で充填されるものである。当該無機充填材の充填量としては、ベースポリマー１００重量部に対し１０〜４００重量部の割合で含まれているのが好ましい。例えば無機充填材の充填量が１０を下回る場合には、無機充填材を充填しても十分な制振性能の向上がみられず、反対に無機充填材の充填量を４００を上回る量としても、現実に充填できなかったり、サイレンサーの機械的強度が低下したりするといった弊害を招くことになるからである。
【００２３】
尚、サイレンサーの成形材料として用いる制振材料には、上記成分の他に、必要に応じて、例えばベースポリマーにおける双極子モーメント量を増大させることで制振性を向上させる機能を持つ、ベンゾチアジル基を持つ化合物、ベンゾトリアゾール基を持つ化合物、ジフェニルアクリレート基を持つ化合物、あるいはベンゾフェノン基を持つ化合物などの制振性向上剤、酸化防止剤、補強剤・強化剤、帯電防止剤、難燃剤、滑剤、発泡剤、着色剤などを配合することができる。
【００２４】
次に、図２及び図３に示す好ましい形態に従って本発明のサイレンサーを説明する。図２に示すサイレンサー３１は、断面略Ｏ字状をなす一端部３１ａ側から他端部３１ｂ側へ向かって多数の当接片３２が延設されると共に、前記多数の当接片３２が一端部３１ａ側から他端部３１ｂ側へ向かってテーパー状となるように拡開している。
【００２５】
またこのサイレンサー３１は、断面略Ｏ字状をなす一端部３１ａ側に前記一端部３１ａ側から他端部３１ｂ側へと突出する挿入用棒体３３が設けられている。そして図３に示すように、サイレンサー３１を挿入用棒体３３を掴んで一端部３１ａ側から感光体ドラム３４へ嵌挿するのである。
【００２６】
このとき、サイレンサー３１の他端部３１ｂ側、すなわち当接片３２の他端部３１ｂ側は、感光体ドラム３４の内周面に摺動しながら、拡開方向に働く力に抗して内側に閉じられるので、その反発力で各当接片３２が感光体ドラム３４の内周面に緩やかに当接し、感光体ドラム３４に生じた振動を減衰除去するようになっている。
【００２７】
尚、当接片３２のテーパー角度は０．５〜３０゜の範囲が好ましい。当接片３２のテーパー角度が０．５゜よりも小さいと、一旦嵌挿したサイレンサー３１が感光体ドラム３４から抜け落ちたり、感光体ドラム３４内周面への当接力が小さくなりすぎて、十分な制振効果、防音効果を得ることができなくなる。一方、当接片３２のテーパー角度が３０゜を上回ると、当接片３２の感光体ドラム３４内周面への当接力が大きくなりすぎて、感光体ドラム３４が変形する恐れがある。
【００２８】
（削除）
【００２９】
（削除）
【００３０】
（削除）
【００３１】
（削除）
【００３２】
（削除）
【００３３】
（削除）
【００３４】
（削除）
【００３５】
（削除）
【００３６】
（削除）
【００３７】
（削除）
【００３８】
（削除）
【００３９】
（削除）
【００４０】
尚、図２及び図３に示すサイレンサーは、いずれも端部がテーパー状となっており、感光体ドラムへスムーズに嵌挿できるようになっている。
【００４１】
【発明の効果】
請求項１記載のサイレンサーにあっては、感光体ドラムへ嵌挿するとき、断面略Ｏ字状をなす一端部側から他端部側へ向かって延設された多数の当接片が感光体ドラムの内周面に摺動しながら、拡開方向に働く力に抗して内側に閉じられるので、その反発力で各当接片が感光体ドラムの内周面に緩やかに当接し、感光体ドラムに生じた振動を確実に減衰除去し、高画質化及び低騒音化を実現できると共に、感光体ドラム内に嵌挿したときに、感光体ドラムが変形し難く、しかも一旦嵌挿した後は容易に感光体ドラムから抜け落ちることはない。
【００４２】
（削除）
【００４３】
（削除）
【００４４】
（削除）
【００４５】
（削除）
【００４６】
（削除）
【００４７】
（削除）
【００４８】
（削除）
【００４９】
（削除）
【００５０】
（削除）
【００５１】
（削除）
【００５２】
【図面の簡単な説明】
【図１】図１は画像形成装置における感光体ドラムの内周面に本発明のサイレンサーを適用した例を示す模式図。
【図２】図２は本発明のサイレンサーの一形態を示す斜視図。
【図３】図３は図２に示すサイレンサーを感光体ドラムへ嵌挿しようとする状態を示す拡大断面図。
【図４】図４は従来のサイレンサー及びこれを適用した画像形成装置を示す模式図。
【符号の説明】
３２・・・当接片
３４・・・感光ドラム
【図１】
0004638611.tif 000002
【図２】
0004638611.tif 000003
【図３】
0004638611.tif 000004
【図４】
0004638611.tif 000005